(57)【要約】【課題】ベンゾトリアゾール組成物の提供【解決手段】本発明は、機能液、例えば鉱油中にベンゾトリアゾールとＮ−置換ベンゾトリアゾールの混合物を含む新規な（ベンゾ）トリアゾール組成物に関する。該混合物は、トルトリアゾール（ＴＴＡ）、アルキルアルデヒド及びシクロアルカノールのような容易に得られる出発物質から合成され得る。本発明は更に、該混合物を含む機能液と接触している金属を保護する方法に関する。【選択図】なし【特許請求の範囲】
【請求項１】
Ａ）本質的に
ａ）式（Ｉ´）又は式（Ｉ´´）で表されるベンゾトリアゾール化合物
【化１】
2008520784.tif 000027
（式中、Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。）：
ｂ）式（ＩＩ）で表されるベンゾトリアゾール化合物
【化２】
2008520784.tif 000028
（式中、Ｒ1は水素原子又は炭素原子数１ないし４のアルキル基を表す。）：及び所望に
より
ｃ）式（ＩＩＩ´）で表されるトリアゾール化合物
【化３】
2008520784.tif 000029
（式中、Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。）：
からなる混合物、並びに
Ｂ）潤滑剤、圧媒剤、金属加工液及びコーティング剤からなる群より選択される機能液
を含む組成物。
【請求項２】
Ａ）本質的に
ａ）式（Ｉ´）で表されるベンゾトリアゾール化合物
【化４】
2008520784.tif 000030
（式中、Ｒ1は水素原子又はメチル基を表し；
Ｒ2は炭素原子数１ないし８のアルキル基又は炭素原子数５ないし７のシクロアルキル基
を表し；
Ｒ3は水素原子又は炭素原子数１ないし８のアルキル基、炭素原子数５ないし７のシクロ
アルキル基及びフェニル基からなる群より選択される置換基を表す。）、又は化合物（Ｉ´）の異性体：及び
ｂ）式（ＩＩ）で表されるベンゾトリアゾール化合物
【化５】
2008520784.tif 000031
（式中、Ｒ1は水素原子又はメチル基を表す。）：
からなる混合物、並びに
Ｃ）潤滑剤、圧媒剤、金属加工液及びコーティング剤からなる群より選択される機能液
を含む組成物。
【請求項３】
Ａ）本質的に
ａ）式（Ｉ´）で表されるベンゾトリアゾール化合物
【化６】
2008520784.tif 000032
（式中、Ｒ1は水素原子又はメチル基を表し；
Ｒ2は炭素原子数１ないし８のアルキル基又は炭素原子数５ないし７のシクロアルキル基
を表し；及び
Ｒ3は水素原子又は炭素原子数１ないし８のアルキル基、炭素原子数５ないし７のシクロ
アルキル基及びフェニル基からなる群より選択される置換基を表す。）、又は化合物（Ｉ´）の異性体：
ｂ）式（ＩＩ）で表されるベンゾトリアゾール化合物
【化７】
2008520784.tif 000033
（式中、Ｒ1は水素原子又はメチル基を表す。）：及び
ｃ）式（ＩＩＩ´）で表されるトリアゾール化合物
【化８】
2008520784.tif 000034
（式中、Ｒ1は水素原子又はメチル基を表し；
Ｒ2は炭素原子数１ないし８のアルキル基又は炭素原子数５ないし７のシクロアルキル基
を表し；及び
Ｒ3は水素原子又は炭素原子数１ないし１２のアルキル基、炭素原子数５ないし７のシク
ロアルキル基及びフェニル基からなる群より選択される置換基を表す。）、又は化合物（ＩＩＩ´）の異性体：
からなる混合物、並びに
Ｂ）潤滑剤、圧媒剤、金属加工液及びコーティング剤からなる群より選択される機能液
を含む請求項１記載の組成物。
【請求項４】
Ａ）本質的に
ａ）式（Ｉ´）で表されるベンゾトリアゾール化合物であって、
Ｒ1は水素原子又はメチル基を表し；
Ｒ2は炭素原子数５ないし７のシクロアルキル基を表し；及び
Ｒ3は炭素原子数１ないし８のアルキル基又は炭素原子数５ないし７のシクロアルキル基
を表す化合物、又は化合物（Ｉ´）の異性体；及び
ｂ）式（ＩＩ）で表されるベンゾトリアゾール化合物であって、
Ｒ1は水素原子又はメチル基を表す化合物；
からなる混合物、並びに
Ｂ）潤滑剤、圧媒剤、金属加工液及びコーティング剤からなる群より選択される機能液
を含む請求項２記載の組成物。
【請求項５】
Ａ）本質的に
ａ）式（Ｉ´）で表されるベンゾトリアゾール化合物であって、
Ｒ1は水素原子又はメチル基を表し；
Ｒ2は炭素原子数５ないし７のシクロアルキル基を表し；及び
Ｒ3は炭素原子数１ないし８のアルキル基又は炭素原子数５ないし７のシクロアルキル基
を表す化合物、又は化合物（Ｉ´）の異性体；
ｂ）式（ＩＩ）で表されるベンゾトリアゾール化合物であって、
Ｒ1は水素原子又はメチル基を表す化合物；及び
ｃ）式（ＩＩＩ´）で表されるトリアゾール化合物であって、
Ｒ1は水素原子又はメチル基を表し；
Ｒ2は炭素原子数５ないし７のシクロアルキル基を表し；及び
Ｒ3は炭素原子数１ないし８のアルキル基又は炭素原子数５ないし７のシクロアルキル基
を表す化合物、又は化合物（ＩＩＩ´）の異性体；
からなる混合物、並びに
Ｂ）潤滑剤、圧媒剤、金属加工液及びコーティング剤からなる群より選択される機能液
を含む請求項１記載の組成物。
【請求項６】
金属奪活剤、抗酸化剤、防錆剤、粘度指数向上剤、流動点降下剤、分散剤、界面活性剤、極圧添加剤及び耐摩耗添加剤からなる群より選択される更なる添加剤を含む請求項１記載の組成物。
【請求項７】
ａ）式（Ｉ）で表されるベンゾトリアゾール化合物であって、
Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す化合物；
ｂ）式（ＩＩ）で表されるベンゾトリアゾール化合物であって、
Ｒ1は水素原子又は炭素原子数１ないし４のアルキル基を表す化合物；及び所望により
ｃ）式（ＩＩＩ´）で表されるトリアゾール化合物であって、
Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す化合物；
を含む混合物。
【請求項８】
潤滑剤、圧媒液若しくは金属加工液又はコーティング組成物の機能特性を改善するための方法であって、機能液に請求項７記載の混合物及び所望により更なる添加剤を添加することからなる方法。
【発明の詳細な説明】
【技術分野】
【０００１】
本発明は、ベンゾトリアゾールとＮ−置換ベンゾトリアゾールの混合物を含む新規なベンゾトリアゾール組成物、Ｎ−置換ベンゾトリアゾールの製造方法及び潤滑剤、圧媒液若しくは金属加工液又はコーティング組成物の機能特性を改善するための方法に関する。
【背景技術】
【０００２】
金属奪活剤として使用され得る添加剤は、鉱油や燃料のような機能液中で、その中に含まれる銅イオンや鉄イオンのような金属イオンを奪活することにより、その保護作用を示す。これらの金属イオンは、鉱油や燃料の望ましくない酸化分解工程において触媒効果を有し得る。この保護作用は、金属表面上でのフィルム様の層の形成により、又は金属イオンとの錯体形成により説明される。
【０００３】
欧州特許出願公開第３６５４７６号明細書はベンゾトリアゾール化合物
【化１】
2008520784.tif 000002
（式中、Ｒ1は直鎖又は分岐鎖の炭素原子数１ないし１２のアルキル基を表し；及び、Ｒ2は、１個又はそれ以上のＯ原子で中断された直鎖又は分岐鎖の炭素原子数１ないし１２のアルキル基を表すか又は炭素原子数５ないし１２のシクロアルキル基を表す。）及びこれらのベンゾトリアゾール化合物を含む潤滑剤組成物を開示する。
【０００４】
機械の高い操作温度におけるそれらの揮発性のせいで、トリアゾール系の金属奪活剤は問題を有している。特にオイル及び燃料にさらされる内燃機関及びタービンにおける高温のため、奪活剤濃度は対応する保護作用の減少を伴って急速に減少し得る。
【特許文献１】欧州特許出願公開第３６５４７６号明細書
【発明の開示】
【発明が解決しようとする課題】
【０００５】
本発明の目的は、トルトリアゾール（ＴＴＡ）、アルキルアルデヒド及びシクロアルカノールのような容易に得られ得る出発物質から、金属奪活剤として潤滑剤組成物中で使用され得、改善された溶解性を示し且つ機能液中でトルトリアゾール自体よりも低い揮発性を有する添加成分を製造することである。
【課題を解決するための手段】
【０００６】
この目的は、ベンゾトリアゾールとＮ−置換ベンゾトリアゾールの混合物を含む新規なベンゾトリアゾール組成物に関する本発明により達成される。
【０００７】
本発明は、
Ａ）本質的に
ａ）式（Ｉ）で表されるベンゾトリアゾール化合物
【化２】
2008520784.tif 000003
｛式中、Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基、
炭素原子数５ないし７のシクロアルキル−炭素原子数１ないし４のアルキル基、
【化３】
2008520784.tif 000004
（式中、Ｒ1´はＲ1として定義されたものと同様であり；
指数ａは１ないし１０の数字を表し；及び
指数ｎは２ないし８の数字を表す。）からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。｝：
ｂ）式（ＩＩ）で表されるベンゾトリアゾール化合物
【化４】
2008520784.tif 000005
（式中、Ｒ1は水素原子又は炭素原子数１ないし４のアルキル基を表す。）：及び所望に
より、
ｃ）式（ＩＩＩ）で表されるトリアゾール化合物
【化５】
2008520784.tif 000006
｛式中、Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基、
炭素原子数５ないし７のシクロアルキル−炭素原子数１ないし４のアルキル基、
【化６】
2008520784.tif 000007
（式中、Ｒ1´はＲ1として定義されたものと同様であり；及び
指数ａは１ないし１０の数字を表し；
指数ｎは２ないし８の数字を表す。）からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。｝：
からなる混合物、並びに
Ｂ）潤滑剤、圧媒剤、金属加工液及びコーティング剤からなる群より選択される機能液
を含む組成物に関する。
【０００８】
本発明のより特定された態様は、
Ａ）本質的に
ａ）式（Ｉ´）又は式（Ｉ´´）で表されるベンゾトリアゾール化合物
【化７】
2008520784.tif 000008
（式中、Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる
群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。）：
ｂ）式（ＩＩ）で表されるベンゾトリアゾール化合物
【化８】
2008520784.tif 000009
（式中、Ｒ1は水素原子又は炭素原子数１ないし４のアルキル基を表す。）：及び所望に
より
ｃ）式（ＩＩＩ´）で表されるトリアゾール化合物
【化９】
2008520784.tif 000010
（式中、Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。）：
からなる混合物、並びに
Ｂ）潤滑剤、圧媒剤、金属加工液及びコーティング剤からなる群より選択される機能液
を含む組成物に関する。
【０００９】
上記で定義された組成物は慣用の混合手法により製造され、また、機能液中の金属奪活剤として好適である。
【００１０】
上記及び下記で使用された表現及び用語は、好ましくは、本発明の記載中の以下の通りに定義される。
【００１１】
成分Ａ）
本発明に従う組成物中に存在する化合物（Ｉ）は以下に示す異性体構造により定義される：
【化１０】
2008520784.tif 000011
ここでＲ1、Ｒ2及びＲ3は上記で定義されたと同様である。
【００１２】
用語“異性体”は、如何なる構造異性体及び位置異性体、互変異性形態、シス−トランス異性体及び立体異性体、例えば、鏡像異性形態及びラセミ混合物も含む。
【００１３】
炭素原子数１ないし４のアルキル基として定義されるＲ1及びＲ1´は、メチル基、エチル基、ｎ−プロピル基、イソプロピル基、ｎ−ブチル基、イソブチル基又は第三ブチル基を表す。好ましい態様によると、Ｒ1はメチル基を表す。
【００１４】
Ｒ2は炭素原子数１ないし１２のアルキル基、炭素原子数５ないし７のシクロアルキル
基、（炭素原子数１ないし４のアルキル）1-3炭素原子数５ないし７のシクロアルキル基
及び炭素原子数５ないし７のシクロアルキル−炭素原子数１ないし４のアルキル基からなる群より選択される置換基を表す。
【００１５】
炭素原子数１ないし１２のアルキル基として定義されるＲ2は、Ｒ1及びＲ1´に関して
上記で定義された炭素原子数１ないし４のアルキル基を表し、加えて、直鎖又は分岐鎖の炭素原子数５ないし１２のアルキル基、例えば、ペンチル基、ヘキシル基、ヘプチル基、オクチル基、ノニル基、ウンデシル基又はドデシル基を表す。
【００１６】
炭素原子数５ないし７のシクロアルキル基として定義されるＲ2は、好ましくは、シク
ロペンチル基又はシクロヘキシル基である。
【００１７】
（炭素原子数１ないし４のアルキル）1-3炭素原子数５ないし７のシクロアルキル基と
して定義されるＲ2は、好ましくは、炭素原子数１ないし４のアルキル基、例えば、メチ
ル基、エチル基、ｎ−プロピル基、イソプロピル基、ｎ−ブチル基、イソブチル基又は第三ブチル基で置換されたシクロペンチル基又はシクロヘキシル基である。
【００１８】
炭素原子数５ないし７のシクロアルキル−炭素原子数１ないし４のアルキル基として定義されるＲ2は、例えば、シクロペンチルメチル基、シクロヘキシルメチル基、シクロペ
ンチル−１，１−エチル基、シクロヘキシル−１，１−エチル基、シクロペンチル−１，２−エチル基又はシクロヘキシル−１，２−エチル基である。
【００１９】
化合物（Ｉ）において、指標ａは１ないし１０の数字を表し、指標ｎは２ないし８の数字を表す。
【００２０】
好ましい態様によると、指標ａは１ないし６の数字を表し、指標ｎは２ないし６の数字を表す。
【００２１】
高度に好ましい態様によると、指標ａは１ないし４の数字を表し、指標ｎは２ないし４の数字を表す。
【００２２】
Ｒ3は炭素原子数１ないし１２のアルキル基、炭素原子数５ないし７のシクロアルキル
基、（炭素原子数１ないし４のアルキル）1-3炭素原子数５ないし７のシクロアルキル基
、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す。
【００２３】
素原子数１ないし１２のアルキル基、炭素原子数５ないし７のシクロアルキル基、（炭素原子数１ないし４のアルキル）1-3炭素原子数５ないし７のシクロアルキル基及び炭素
原子数５ないし７のシクロアルキル−炭素原子数１ないし４のアルキル基として定義されるＲ3は、Ｒ2に関して上記で定義されたのと同様の意味を有する。
【００２４】
フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基として定義されるＲ3は、例えば、フェニル基、ベンジル
基、１−若しくは２−フェニルエチル基、４−メチル若しくは４−エチルクミル基又は４−メチルベンジル基である。
【００２５】
式（Ｉ）で表される化合物は、欧州特許出願公開第３６５４７６号明細書の開示から公知であるか、又は、そこに記載されている方法と類似の方法、例えば、溶媒と反応の間に形成される水の共沸混合物を連続的に除去しながら、反応物に対して不活性な溶媒中で、Ｒ1−置換ベンゾトリアゾール、例えば、トルトリアゾール（トリルトリアゾール）と、
アルデヒドＲ3−Ｃ（＝Ｏ）−Ｈ及びアルコールＲ2−ＯＨとの酸触媒反応による方法で製造し得る。
【００２６】
好適な酸触媒は、鉱酸、例えば、硫酸、酸性クレイ、例えば、ベントナイト、モントモリロナイト、ブレイチェルドトンシル（登録商標：Ｂｌｅｉｃｈｅｒｄｅ  Ｔｏｎｓｉｌ）（シュープリーム（Ｓｕｐｒｅｍｅ）１１０ＦＦ、１２６ＦＦ）又はフラーズアース（Ｆｕｌｌｅｒ´ｓ  ｅａｒｔｈ）、酸イオン交換樹脂、例えば、アンバーリスト（登録商標：Ａｍｂｅｒｌｙｓｔ）１５、及びスルホン酸、例えば、ｐ−トルエンスルホン酸を含む。
【００２７】
不活性溶媒は、シクロヘキサン、ベンゼン、トルエン、キシレン又は四塩化炭素であり得る。
【００２８】
Ｒ2が、部分式（Ａ）又は（Ｂ）の基を表す化合物（Ｉ）は、Ｒ1−置換ベンゾトリアゾール、例えば、トルトリアゾール（トリルトリアゾール）と、ジオールＨＯ−（ＣＨ2）2-3Ｏ−（ＣＨ2-3Ｏ）a−（ＣＨ2-3）−ＯＨ及び２当量のアルデヒドＲ3−Ｃ（＝Ｏ）−Ｈとの、又は、ジオールＨＯ−（ＣＨ2）n−ＯＨ及び２当量のアルデヒドＲ3−Ｃ（＝Ｏ）
−Ｈとの酸触媒反応により、同様な方法で製造し得る。
【００２９】
化合物（ＩＩ）において、炭素原子数１ないし４のアルキル基として定義されるＲ1は
、メチル基、エチル基、ｎ−プロピル基、イソプロピル基、ｎ−ブチル基、イソブチル基又は第三ブチル基を表す。好ましい態様によると、Ｒ1はメチル基を表す。
【００３０】
化合物（ＩＩ）は公知であり、例えば、イルガメット（登録商標：Ｉｒｇａｍｅｔ）（チバ  スペシャルティ  ケミカルズ）ＴＴＡとして市販で入手可能である。
【００３１】
本発明に従う組成物中に存在する化合物（ＩＩＩ）は、好ましくは、以下の異性体構造
により特定される：
【化１１】
2008520784.tif 000012
（式中、Ｒ1、Ｒ2及びＲ3は上記で定義されたのと同様である。）。
【００３２】
所望による成分ｃ）に従う化合物（ＩＩＩ）は、例えば、Ｒ1−置換ベンゾトリアゾー
ル、例えば、トリアゾール又はメチルトリアゾールと、アルデヒドＲ3−Ｃ（＝Ｏ）−Ｈ
及びアルコールＲ2−ＯＨとの酸触媒反応による欧州特許第０３６５４７６号明細書と類
似した方法で製造し得る。
【００３３】
Ｒ2が、部分式（Ａ）又は（Ｂ）の基を表す化合物（ＩＩＩ）は、Ｒ1−置換トリアゾール、例えば、トリアゾール又はメチルトリアゾールと、ジオールＨＯ−（ＣＨ2）2-3Ｏ−（ＣＨ2-3Ｏ）a−（ＣＨ2-3）−ＯＨ及び２当量のアルデヒドＲ3−Ｃ（＝Ｏ）−Ｈとの、又は、ジオールＨＯ−（ＣＨ2）n−ＯＨ及び２当量のアルデヒドＲ3−Ｃ（＝Ｏ）−Ｈと
の酸触媒反応により、同様に製造し得る。
【００３４】
成分Ｂ
用語“潤滑剤、圧媒剤、金属加工液及びコーティング剤からなる群より選択される機能液”は、非水性の液体、部分的に水性の液体及び水性の液体を含むが、これらは、奪活されるべき金属、特に銅又は鉄と接触している。
【００３５】
非水性の機能液の例は、燃料、例えば、室温で液体であり且つ内燃機関、例えば、外部点火（ガソリンエンジン）又は内部点火（ディーゼルエンジン）を用いる内燃機関で使用するのに好適である鉱油画分を含む炭化水素混合物、例えば、異なったオクタン価を有するガソリン（レギュラーグレードガソリン、プレミアムグレードガソリン）又はディーゼル燃料、並びに、潤滑剤、圧媒液、金属加工液、エンジン冷却剤、変圧器油及びスイッチギア油である。
【００３６】
好適な部分的に水性の機能液の例は、水性のポリグリコール／ポリグリコールエーテル混合物又はグリコール系に基づく圧媒液
、油中水又は水中油系及び水性グリコールに基づくエンジン冷却系である。
【００３７】
水性の機能液の例は、工業用冷却水、水質調節プラントの充填組成物、水蒸気発生システム、海水蒸発システム、糖蒸発システム、灌漑システム、静水圧ボイラー及び密閉循環を有する加熱システム又は冷却システムである。
【００３８】
本発明に従う組成物は、機能液の質量に基づいて、好ましくは、０．０１ないし５．０質量％、特に０．０２ないし１．０質量％の化合物（Ｉ）を含む。
【００３９】
非水性の機能液は好ましくは、特に、グリース、金属加工液、ギヤ液及び圧媒液の製造のために使用し得る潤滑粘度のベース油である。
【００４０】
好適なグリース、金属加工液、ギア液及び圧媒液は、例えば、鉱油若しくは合成油又は
それらの混合物に基づくものである。潤滑油は当業者によく知られ、また、例えば、Ｃｈｅｍｉｓｔｒｙ  ａｎｄ  Ｔｅｃｈｎｏｌｏｇｙ  ｏｆ  Ｌｕｂｒｉｃａｎｔｓ；Ｍｏｒｔｉｅｒ，Ｒ．Ｍ．ａｎｄ  Ｏｒｓｚｕｌｉｋ，Ｓ．Ｔ．（編者）；１９９２年Ｂｌａｃｋｉｅ  ａｎｄ  Ｓｏｎ  Ｌｔｄ．ｆｏｒ  ＧＢ，ＶＨＣ−Ｐｕｂｌｉｓｈｅｒｓ  Ｎ．Ｙ．ｆｏｒ  Ｕ．Ｓ．，ＩＳＢＮ  ０−２１６−９２９２１−０，２０８頁以降及び２６９頁以降参照．；Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，第４版  １９６９年，Ｊ．Ｗｉｌｅｙ＆Ｓｏｎｓ，ニューヨーク，第１３巻，５３３頁以降参照．（Ｈｙｄｒａｕｌｉｃ  Ｆｌｕｉｄｓ）；Ｐｅｒｆｏｒｍａｎｃｅ  ｔｅｓｔｉｎｇ  ｏｆ  Ｈｙｄｒａｕｌｉｃ  Ｆｌｕｉｄｓ；Ｒ．Ｔｏｕｒｒｅｔ  ａｎｄ  Ｅ．Ｐ．Ｗｒｉｇｈｔ，Ｈｙｄｅｎ＆Ｓｏｎ  Ｌｔｄ．ＧＢ，ロンドン石油学会を代表して，ＩＳＢＮ０８５５０１３１７６；Ｕｌｌｍａｎｎｓ´  Ｅｎｃｙｃｌｏｐｅｄｉａ  ｏｆ  Ｉｎｄ．Ｃｈｅｍ．，第５完全改訂版，Ｖｅｒｌａｇ
Ｃｈｅｍｉｅ，ＤＥ−Ｗｅｉｎｈｅｉｍ，ＶＨＣ−Ｐｕｂｌｉｓｈｅｒｓ  ｆｏｒ  Ｕ．Ｓ．，第Ａ１５巻，４２３頁以降参照．（Ｌｕｂｒｉｃａｎｔｓ），第Ａ１３巻，１６５頁以降参照．（Ｈｙｄｒａｕｌｉｃ  Ｆｌｕｉｄｓ）のような関連文献中に記載されている。
【００４１】
潤滑油は、特に油及びグリース、例えば、鉱油又は植物及び動物油、脂肪、獣脂及びワックス又はそれらの混合物に基づく。植物及び動物油、脂肪、獣脂及びワックスは、例えば、パーム核油、ヤシ油、オリーブ油、菜種油（ｃｏｌｚａ  ｏｉｌ）、菜種油（ｒａｐｅｓｅｅｄ  ｏｉｌ）、亜麻仁油、大豆油、原綿油、ヒマワリ油、ココナツ油、トウモロコシ油、ヒマシ油、クルミ油及びそれらの混合物、魚油並びに化学的に変性された、例えば、エポキシ化形態若しくはスルホキシド化形態又は遺伝子組み換え技術により製造された形態、例えば、遺伝子組み換え技術で製造された大豆油である。
【００４２】
合成潤滑油の例は、脂肪族の若しくは芳香族のカルボン酸エステル、ポリマー状エステル、ポリアルキレンオキシド、ホスホン酸エステル、ポリ−α−オレフィン、或いは、二塩基酸と一価アルコールとのジエステル、例えば、ジオクチルセバケート又はジノニルアジペートのシリコーン、トリメチロールプロパンと一塩基酸との又はそのような酸の混合物とのトリエステル、例えば、トリメチロールプロパントリペラルゴネート、トリメチロールプロパントリカプリレート又はそれらの混合物のシリコーン、ペンタエリトリトールと一塩基酸との又はそのような酸の混合物とのテトラエステル、例えば、ペンタエリトリトールテトラカプリレートのシリコーン、又は、一塩基酸及び二塩基酸と多価アルコールとの複合エステル、例えば、トリメチロールプロパンとカプリル酸及びセバシン酸との又はそれらの混合物との複合エステルのシリコーンに基づく潤滑油を含む。鉱油に加えて特に好適なものは、例えば、ポリ−α−オレフィン、エステルベースの潤滑油、ホスフェート、グリコール、ポリグリコール及びポリアルキレングリコール並びにそれらの水との混合物である。
【００４３】
前記潤滑油又はその混合物はまた、有機又は無機増粘剤（ベース脂肪）と混合され得る。金属加工液及び圧媒液は潤滑油のために上述したのと同様の物質に基づいて製造し得る。これらは、しばしば、水又は他の液体中におけるそのような物質の懸濁液でもある。
【００４４】
更なる成分
本発明の更なる態様は、金属奪活剤、抗酸化剤、防錆剤、粘度指数向上剤、流動点降下剤、分散剤、界面活性剤、極圧添加剤及び耐摩耗添加剤からなる群より選択される更なる添加剤を含む組成物に関する。
【００４５】
そのような添加剤は、目的のために各場合において慣用の量で、それぞれ０．０１ないし１０．０質量％の範囲で添加される。更なる添加剤の例を以下に列記する：
１． フェノール系抗酸化剤
１．１． アルキル化モノフェノール：２，６−ジ−第三ブチル−４−メチルフェノール、２−ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、直鎖ノニルフェノールまたは側鎖が分岐しているノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール及びこれらの混合物
【００４６】
１．２． アルキルチオメチルフェノール：２，４−ジオクチルチオメチル−６−第三ブチルフェノール、２，４−ジオクチルチオメチル−６−メチルフェノール、２，４−ジオクチルチオメチル−６−エチルフェノール、２，６−ジドデシルチオメチル−４−ノニルフェノール
【００４７】
１．３． ハイドロキノン類及びアルキル化ハイドロキノン：２，６−ジ−第三ブチル−４−メトキシフェノール、２，５−ジ−第三ブチル−ハイドロキノン、２，５−ジ−第三アミル−ハイドロキノン、２，６−ジフェニル−４−オクタデシロキシフェノール、２，６−ジ−第三ブチル−ハイドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート
【００４８】
１．４． トコフェロール：α−、β−、γ−又はδ−トコフェロール及びそれらの混合物（ビタミンＥ）
【００４９】
１．５． ヒドロキシル化チオジフェニルエーテル：２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド
【００５０】
１．６． アルキリデンビスフェノール：２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エ
チレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス（３，５−ジメチル−２−ヒドロキシフェニル）ブタン、２，２−ビス（３，５−ジ−第三ブチル−４−ヒドロキシフェニル）プロパン、２，２−ビス（５−第三ブチル−４−ヒドロキシ−２−メチルフェニル）−４−ｎ−ドデシルメルカプトブタン、１，１，５，５−テトラ（５−第三ブチル−４−ヒドロキシ−２−メチルフェニル）ペンタン
【００５１】
１．７． Ｏ−，Ｎ−及びＳ−ベンジル化合物：３，５，３’，５’−テトラ−第三ブチル−４，４’−ジヒドロキシジベンジルエーテル、オクタデシル４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル３，５−ジ−第三ブチル−４−ヒドロキシベンジルメルカプトアセテート
【００５２】
１．８． ヒドロキシベンジル化マロネート：ジオクタデシル２，２−ビス（３，５−ジ−第三ブチル−２−ヒドロキシベンジル）マロネート、ジオクタデシル２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ジ−［４−（１，１，３，３−テトラメチルブチル）フェニル］−２，２−ビス（３，５−ジ−第三ブチル−４−ヒドロキシベンジル）マロネート
【００５３】
１．９． 芳香族ヒドロキシベンジル化合物：１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール
【００５４】
１．１０． トリアジン化合物：２，４−ビスオクチルメルカプト−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）ヘキサヒドロ−１，３，５−トリアジン、１，３，５−トリス（３，５−ジシクロヘキシル−４−ヒドロキシベンジル）イソシアヌレート
【００５５】
１．１１． アシルアミノフェノール：４−ヒドロキシラウラニリド、４−ヒドロキシステアラニリド、オクチルＮ−（３，５−ジ−第三ブチル−４−ヒドロキシフェニル）カルバメート
【００５６】
１．１２． β−（３，５−ジ−第三ブチル−４−ヒドロキシフェニル）プロピオン酸のエステル：一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサルアミド、３−チアウンデ
カノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル
【００５７】
１．１３． β−（５−第三ブチル−４−ヒドロキシ−３−メチルフェニル）プロピオン酸のエステル：一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサルアミド、３−チアウンデ
カノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル
【００５８】
１．１４． β−（３，５−ジシクロヘキシル−４−ヒドロキシフェニル）プロピオン酸のエステル：一価又は多価アルコール、例えば、１３において示されたアルコールとのエステル
【００５９】
１．１５． ３，５−ジ−第三ブチル−４−ヒドロキシフェニル酢酸のエステル：一価又は多価アルコール、例えば、１３において示されたアルコールとのエステル
【００６０】
１．１６． β−（３，５−ジ−第三ブチル−４−ヒドロキシフェニル）プロピオン酸のアミド：Ｎ，Ｎ’−ビス（３，５−ジ−第三ブチル−４−ヒドロキシフェニルプロピオニル）ヘキサメチレンジアミン、Ｎ，Ｎ’−ビス（３，５−ジ−第三ブチル−４−ヒドロキシフェニルプロピオニル）トリメチレンジアミン、Ｎ，Ｎ’−ビス（３，５−ジ−第三ブチル−４−ヒドロキシフェニルプロピオニル）ヒドラジン
【００６１】
１．１７． アスコルビン酸（ビタミンＣ）
【００６２】
１．１８． アミン系抗酸化剤：Ｎ，Ｎ’−ジイソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ−（ナフト−２−イル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルホンアミド）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えば、ｐ、ｐ’−ジ−第三オクチルジフェニルアミン、４−ｎ−ブチルアミノフェノール、４−ブチリル
アミノフェノール、４−ノナノイルアミノフェノール、４−ドデカノイルアミノフェノール、４−オクタデカノイルアミノフェノール、ジ−（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ−［（２−メチルフェニル）アミノ］エタン、１，２−ジ−（フェニルアミノ）プロパン、（ｏ−トリル）ビグアニド、ジ−［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、モノ−及びジアルキル化ノニルフェノチアジンの混合物、Ｎ−アリルフェノチアジン、Ｎ，Ｎ，Ｎ’，Ｎ’−テトラフェニル−１，４−ジアミノブタ−２−エン、Ｎ，Ｎ−ビス（２，２，６，６−テトラメチルピペリジン−４−イル）ヘキサメチレンジアミン、ビス（２，２，６，６−テトタメチルピペリジン−４−イル）セバケート、２，２，６，６−テトラメチルピペリジン−４−オン、２，２，６，６−テトラメチルピペリジン−４−オール
【００６３】
２． 更なる抗酸化剤：脂肪族又は芳香族ホスファイト、チオジプロピオン酸又はチオジ酢酸のエステル、或いはジチオカルバミン酸又はジチオリン酸の塩、２，２，１２，１２−テトラメチル−５，９−ジヒドロキシ−３，７，１１−トリチアトリデカン及び２，２，１５，１５−テトラメチル−５，１２−ジヒドロキシ−３，７，１０，１４−テトラチアヘキサデカン
【００６４】
３． 更なる金属奪活剤、例えば銅のための：
３．１． ベンゾトリアゾール及びそれらの誘導体：２−メルカプトベンゾトリアゾール、２，５−ジメルカプトベンゾトリアゾール、４−又は５−アルキルベンゾトリアゾール（例えば、トルトリアゾール）及びそれらの誘導体、４，５，６，７−テトラヒドロベンゾトリアゾール、５，５´−メチレンビスベンゾトリアゾール；１−［ジ（２−エチルヘキシルアミノメチル）］トルトリアゾール及び１−［ジ（２−エチルヘキシルアミノメチル）］ベンゾトリアゾールのようなベンゾトリアゾール又はトルトリアゾールのマンニッヒ塩基；１−（ノニロキシメチル）ベンゾトリアゾール、１−（１−ブトキシエチル）ベンゾトリアゾール及び１−（１−シクロヘキシロキシブチル）トルトリアゾールのようなアルコキシアルキルベンゾトリアゾール
【００６５】
３．２． １，２，４−トリアゾール及びそれらの誘導体：３−アルキル（又はアリール）−１，２，４−トリアゾール、１−［ジ（２−エチルヘキシル）アミノメチル］−１，２，４−トリアゾールのような１，２，４−トリアゾールのマンニッヒ塩基；１−（１−ブトキシエチル）−１，２，４−トリアゾールのようなアルコキシアルキル−１，２，４−トリアゾール；アシル化３−アミノ−１，２，４−トリアゾール
【００６６】
３．３． イミダゾール誘導体：４，４´−メチレンビス（２−ウンデシル−５−メチルイミダゾール）、ビス［（Ｎ−メチル）イミダゾール−２−イル］カルビノールオクチルエーテル
【００６７】
３．４． 硫黄含有複素環化合物：２−メルカプトベンゾチアゾール、２，５−ジメルカプト−１，３，４−チアジアゾール、２，５−ジメルカプトベンゾチアジアゾール及びそれらの誘導体；３，５−ビス［ジ−（２−エチルヘキシル）アミノメチル］−１，３，４
−チアジアゾリン−２−オン
【００６８】
３．５． アミノ化合物：サリチリデンプロピレンジアミン、サリチルアミノグアニジン及びそれらの塩
【００６９】
４． 防錆剤
４．１． 有機酸、それらのエステル、金属塩、アミン塩及び無水物：例えば、アルキル−及びアルケニルコハク酸並びにそれらのアルコール、ジオール又はヒドロキシカルボン酸との部分エステル、アルキル−及びアルケニルコハク酸の部分アミド、４−ノニルフェノキシ酢酸、ドデシロキシ酢酸、ドデシロキシ（エトキシ）酢酸のようなアルコキシ−及びアルコキシエトキシカルボン酸及びそれらのアミン塩、及び同様に、Ｎ−オレオイルサルコシン、ソルビタンモノオレエート、ナフテン酸鉛、アルケニルコハク酸無水物、例えば、ドデセニルコハク酸無水物、２−（２−カルボキシエチル）−１−ドデシル−３−メチルグリセロール及びその塩、特にナトリウム塩及びトリエタノールアミン塩
【００７０】
４．２． 窒素含有化合物：
４．２．１  ３級脂肪族及び環状脂肪族アミン並びに有機及び無機酸のアミン塩、例えば、油溶性のアルキルアンモニウムカルボキシレート、同様に、１−［Ｎ，Ｎ−ビス（２−ヒドロキシエチル）アミノ］−３−（４−ノニルフェノキシ）プロパン−２−オール
【００７１】
４．２．２  複素環化合物、例えば、置換されたイミダゾリン及びオキサゾリン、例えば、２−ヘプタデセニル−１−（２−ヒドロキシエチル）イミダゾリン
【００７２】
５． 硫黄含有化合物：ジノニルナフタレンスルホン酸バリウム、石油スルホン酸カルシウム、アルキルチオ基で置換された脂肪族カルボン酸、脂肪族２−スルホカルボン酸のエステル及びそれらの塩
【００７３】
６． 粘度指数向上剤：ポリアクリレート、ポリメタクリレート、ビニルピロリドン／メタクリレートコポリマー、ポリビニルピロリドン、ポリブテン、オレフィンコポリマー、スチレン／アクリレートコポリマー、ポリエーテル
【００７４】
７． 流動点降下剤：ポリ（メタ）アクリレート、エチレン−酢酸ビニルコポリマー、アルキルポリスチレン、フマレートコポリマー、アルキル化ナフタレン誘導体
【００７５】
８． 分散剤／界面活性剤：ポリブテニルコハク酸アミド又はポリブテニルコハク酸イミド、ポリブテニルホスホン酸誘導体、塩基性マグネシウム、カルシウム及びバリウムスルホネート及びフェノレート
【００７６】
９． 高圧添加剤及び耐磨耗添加剤：硫黄−及びハロゲン原子含有化合物、例えば、塩化パラフィン、硫酸化オレフィン又は硫酸化植物油（大豆油、菜種油（ｒａｐｅｓｅｅｄ  ｏｉｌ））、アルキル又はアリールジ−又はトリスルフィド、ビス（２−エチルヘキシル）アミノメチルトルトリアゾールのようなベンゾトリアゾール又はその誘導体、メチレンビスジブチルジチオカルバメートのようなジチオカルバメート、１−［Ｎ，Ｎ−ビス（２−エチルヘキシル）アミノメチル］−２−メルカプト−１Ｈ−１，３−ベンゾチアゾールのような２−メルカプトベンゾチアゾールの誘導体、２，５−ビス（第三ノニルジチオ）−１，３，４−チアジアゾールのような２，５−ジメルカプト−１，３，４−チアジアゾールの誘導体
【００７７】
１０． 摩擦係数を減少させるための物質：ラード油、オレイン酸、獣脂、菜種油（ｒａｐｅｓｅｅｄ  ｏｉｌ）、硫化脂肪、アミン。更なる例は欧州特許出願公開第０５６５４
８７号明細書中に示されている。
【００７８】
１１．  水／油金属加工液及び圧媒液における使用のための特別な添加剤：
【００７９】
１１．１ 乳化剤：石油スルホン酸塩、ポリオキシエチル化脂肪アミンのようなアミン、非イオン性界面活性物質
【００８０】
１１．２ 緩衝剤：アルカノールアミン
【００８１】
１１．３ 殺生物剤：トリアジン、チアゾリノン、トリスニトロメタン、モルホリン、ナトリウムピリジンチオール
【００８２】
１１．４ 加工速度改善剤：スルホン酸カルシウム及びスルホン酸バリウム
【００８３】
前記の成分はそれ自体公知の方法で潤滑剤と混合され得る。消費されるに従って、対応する潤滑剤のための使用濃度へ希釈し得る濃縮物又はいわゆる添加パケット（ａｄｄｉｔｉｖｅ  ｐａｃｋｅｔ）も製造することができる。
【００８４】
本発明の好ましい態様は、
Ａ）本質的に
ａ）式（Ｉ´）で表されるベンゾトリアゾール化合物
【化１２】
2008520784.tif 000013
｛式中、Ｒ1は水素原子又はメチル基を表し；
Ｒ2は炭素原子数１ないし８のアルキル基、炭素原子数５ないし７のシクロアルキル基、
【化１３】
2008520784.tif 000014
（式中、Ｒ1´はＲ1として定義されたものと同様であり；
指数ａは１ないし１０の数字を表し；
指数ｎは２ないし８の数字を表す。）からなる群より選択される置換基を表し；及び
Ｒ3は水素原子又は炭素原子数１ないし８のアルキル基、炭素原子数５ないし７のシクロ
アルキル基及びフェニル基からなる群より選択される置換基を表す。｝、又は化合物（Ｉ
´）の異性体：及び
ｂ）式（ＩＩ）で表されるベンゾトリアゾール化合物
【化１４】
2008520784.tif 000015
（式中、Ｒ1は水素原子又はメチル基を表す。）：
からなる混合物、並びに
Ａ）潤滑剤、圧媒剤、金属加工液及びコーティング剤からなる群より選択される機能液
を含む組成物に関する。
【００８５】
本発明の非常に好ましい態様は、
Ａ）本質的に
ａ）式（Ｉ´）で表されるベンゾトリアゾール化合物
【化１５】
2008520784.tif 000016
｛式中、Ｒ1は水素原子又はメチル基を表し；
Ｒ2は炭素原子数１ないし８のアルキル基、炭素原子数５ないし７のシクロアルキル基、
【化１６】
2008520784.tif 000017
（式中、Ｒ1´はＲ1として定義されたものと同様であり；
指数ａは１ないし１０の数字を表し；
指数ｎは２ないし８の数字を表す。）からなる群より選択される置換基を表し；及び
Ｒ3は水素原子又は炭素原子数１ないし８のアルキル基、炭素原子数５ないし７のシクロ
アルキル基及びフェニル基からなる群より選択される置換基を表す。｝、又は化合物（Ｉ´）の異性体：
ｂ）式（ＩＩ）で表されるベンゾトリアゾール化合物
【化１７】
2008520784.tif 000018
（式中、Ｒ1は水素原子又はメチル基を表す。）：及び
ｃ）式（ＩＩＩ´）で表されるトリアゾール化合物
【化１８】
2008520784.tif 000019
｛式中、Ｒ1は水素原子又はメチル基を表し；
Ｒ2は炭素原子数１ないし８のアルキル基、炭素原子数５ないし７のシクロアルキル基、
【化１９】
2008520784.tif 000020
（式中、Ｒ1´はＲ1として定義されたものと同様であり；及び
指数ａは１ないし１０の数字を表し；
指数ｎは２ないし８の数字を表す。）からなる群より選択される置換基を表し；及び
Ｒ3は水素原子又は炭素原子数１ないし１２のアルキル基、炭素原子数５ないし７のシク
ロアルキル基及びフェニル基からなる群より選択される置換基を表す。｝：
からなる混合物、並びに
Ｂ）潤滑剤、圧媒剤、金属加工液及びコーティング剤からなる群より選択される機能液
を含む組成物に関する。
【００８６】
本発明は特に、
Ａ）本質的に
ａ）式（Ｉ´）で表されるベンゾトリアゾール化合物であって、
Ｒ1は水素原子又はメチル基を表し；
Ｒ2は炭素原子数５ないし７のシクロアルキル基を表すか又は基（Ａ´）（ここで、Ｒ1´はＲ1として定義されたものと同様であり；及び
指数ａは１ないし８の数字を表す。）を表し；及び
Ｒ3は炭素原子数１ないし８のアルキル基又は炭素原子数５ないし７のシクロアルキル基
を表す化合物であるか又は化合物（Ｉ´）の異性体；及び
ｂ）式（ＩＩ）で表されるベンゾトリアゾール化合物であって、
Ｒ1は水素原子又はメチル基を表す化合物；
からなる混合物、並びに
Ｂ）潤滑剤、圧媒剤、金属加工液及びコーティング剤からなる群より選択される機能液
を含む組成物を言及する。
【００８７】
本発明の別の非常に好ましい態様は、
Ａ）本質的に
ａ）式（Ｉ´）で表されるベンゾトリアゾール化合物であって、
Ｒ1は水素原子又はメチル基を表し；
Ｒ2は炭素原子数５ないし７のシクロアルキル基を表すか又は基（Ａ´）（ここで、Ｒ1´はＲ1として定義されたものと同様であり；及び
指数ａは１ないし８の数字を表す。）を表し；及び
Ｒ3は炭素原子数１ないし８のアルキル基又は炭素原子数５ないし７のシクロアルキル基
を表す化合物であるか又は化合物（）の異性体；
ｂ）式（ＩＩ）で表されるベンゾトリアゾール化合物であって、
Ｒ1は水素原子又はメチル基を表す化合物；及び
ｃ）式（ＩＩＩ）で表されるトリアゾール化合物であって、
Ｒ1は水素原子又はメチル基を表し；
Ｒ2は炭素原子数５ないし７のシクロアルキル基を表すか又は基（Ｂ）（ここで、Ｒ1´はＲ1として定義されたものと同様であり；及び
指数ａは１ないし８の数字を表す。）を表し；及び
Ｒ3は炭素原子数１ないし８のアルキル基又は炭素原子数５ないし７のシクロアルキル基
を表す化合物であるか又は化合物（Ｉ´）の異性体；
からなる混合物、並びに
Ｂ）潤滑剤、圧媒剤、金属加工液及びコーティング剤からなる群より選択される機能液
を含む組成物に関する。
【００８８】
本発明の更なる態様は、
ａ）式（Ｉ）で表されるベンゾトリアゾール化合物であって、
Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表すか又は基（Ａ）（ここで、Ｒ1´はＲ1として定義されたものと同様であり；及び
指数ａは１ないし１０の数字を表す。）を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す化合物；
ｂ）式（ＩＩ）で表されるベンゾトリアゾール化合物であって、
Ｒ1は水素原子又は炭素原子数１ないし４のアルキル基を表す化合物；及び所望により
ｃ）式（ＩＩＩ）で表されるトリアゾール化合物であって、
Ｒ1は水素原子又は炭素原子数１ないし４のアルキル基を表し；
Ｒ2は炭素原子数１ないし１２のアルキル基、炭素原子数５ないし７のシクロアルキル基
、（炭素原子数１ないし４のアルキル）1-3炭素原子数５ないし７のシクロアルキル基及
び炭素原子数５ないし７のシクロアルキル−炭素原子数１ないし４のアルキル基からなる群より選択される置換基を表すか又は基（Ｂ）（ここで、Ｒ1´はＲ1として定義されたものと同様であり；及び
指数ａは１ないし１０の数字を表す。）を表し；及び
Ｒ3は水素原子又は炭素原子数１ないし１２のアルキル基、炭素原子数５ないし７のシク
ロアルキル基、（炭素原子数１ないし４のアルキル）1-3炭素原子数５ないし７のシクロ
アルキル基、炭素原子数５ないし７のシクロアルキル−炭素原子数１ないし４のアルキル基、フェニル基、フェニル−炭素原子数１ないし４のアルキル基、（炭素原子数１ないし４のアルキル）1-3フェニル基及び（炭素原子数１ないし４のアルキル）1-3フェニル−炭素原子数１ないし４のアルキル基からなる群より選択される置換基を表す化合物；
を含む混合物に関する。
【００８９】
上記で定義された混合物は、潤滑剤、圧媒液若しくは金属加工液又はコーティング組成物の機能特性を改善するための方法であって、機能液に上記で定義された混合物及び所望により更なる添加剤を添加することからなる方法において特に有用である。
【実施例】
【００９０】
以下に示す実施例で本発明を説明する。
実施例１
【化２０】
2008520784.tif 000021
トルトリアゾール（イルガメット（ＩＲＧＡＭＥＴ）ＴＴＡ、４（５）−メチル−１Ｈ−ベンゾトリアゾールの２：３の混合物（２：３））９９．９ｇ（０．７５ｍｏｌ）、シクロヘキサノール（リーデル（Ｒｉｅｄｅｌ）２４２１７）７５．１５ｇ（０．７５ｍｏｌ）及びモントモリロナイトＫ５（フルカ６９９０８）１８．８ｇ（全反応物の質量に基づいて７質量％）をシクロヘキサン１４７．０ｇに添加した。懸濁液を攪拌し、還流条件下で加熱した。地粘土（ｅａｒｔｈ  ｃｌａｙ）からの水を気相中で３０分間除去し、分離した。ヘプタナル９０．０６ｇ（０．７８９ｍｏｌ）を３０分以内の時間で添加した。混合物を還流条件下で４時間加熱攪拌し、水の分離が停止したら室温まで冷却して、ろ過した。溶媒を真空中で黄色がかったろ液から除去し、１％未満のＴＴＡ（ＨＰＬＣ）を含む黄色がかったオイルを得た。ガスクロマトグラフィーにおいて、０．７％のＴＴＡ、１．１％のヘプタナル、０．８％のシクロヘキサノールが測定された。
元素分析［％］：
【表１】
2008520784.tif 000022
方法のもう一つの態様に従って、モントモリロナイトをブライチェルドトンシル（登録商標：Ｂｌｅｉｃｈｅｒｄｅ  Ｔｏｎｓｉｌ）Ｓｕｐｒｅｍｅ１１０ＦＦに換えた。
【００９１】
実施例２
縮合生成物（ＩＩ）に関してトルトリアゾール（Ｉ）の異なった量を含む混合物を（Ｉ）の過剰量を反応混合物に添加することにより実施例１と類似の方法で製造した。
【表２】
2008520784.tif 000023
【００９２】
実施例３（適用試験）
３．１  方法
３．１．１  回転ボンベ式酸化安定度試験ＡＳＴＭ  Ｄ−２２７２
タービン品質の鉱油中の試験組成物の０．０５％溶液を調製したが、該オイルは２６．２ｍｍ2／秒（４０℃）及び４．８ｍｍ2／秒（１００℃）の粘度並びに０．５４％の硫黄含有率を有していた。該溶液はフェノール系又はアミン系抗酸化剤も含み得る。１５０℃の温度において、６．２バールの最大圧力から開始して１．７５バールの最小圧力落下までに要する時間を測定した。
３．１．２  修正ＡＳＴＭ  Ｄ−１３０銅片試験
７．７−８．０ｃＳｔ（１００℃）の粘度及び硫黄元素の５０ｐｐｍの含有量を有するポリ−α−オレフィン（ＰＡＯ）中の試験組成物の０．０４％溶液を調製した。銅片（５０×１０×１ｍｍ）は、高沸点石油エーテルで湿潤された羊毛パッドに吸収された１５０等級の炭化ケイ素で研磨した。研磨された片はその後、調製された溶液中に完全に浸漬し、１００℃で２時間維持した。該片はその後、取り出し、イソオクタンで洗浄、乾燥し、その色をＡＳＴＭ  Ｄ１３０に従う銅片の腐食試験に適用可能である変色チャートの標準化されたカラーサンプルと比較した。
３．２  試験された組成物
【表３】
2008520784.tif 000024
1)ＩＩ群、ＩＳＯ４６（ジュロング（ｊｕｒｏｎｇ）１５０及び５００のブレンド）
2)イルガルベ（ＩＲＧＡＬＵＢＥ）ＡＦ１
3)ベース配合物
【表４】
2008520784.tif 000025
３．３  結果
【表５】
2008520784.tif 000026
1)ＲＰＶＯＴ：２回の平均、分；ＡＳＴＭ  Ｄ２２７２
2)ＡＳＴＭ  Ｄ１３０（１２５℃で３時間、５０ｐｐｍの元素リンの存在を伴う）当りの銅腐食
ＲＰＶＯＴの結果は、フェノール系及びアミン系抗酸化剤が存在する非水性の機能液中で、代表的組成物がもたらす顕著な抗酸化特性を示した。
銅腐食試験の結果は、代表的なブレンドが存在する非水性の機能液中で達成された、顕著な銅の奪活を示した。
【国際調査報告】
2008520784.tif 000035
2008520784.tif 000036